(57)【要約】【課題】少ない部品点数および加工工数によって容易かつ確実に機能ユニットを取り付けることができる建具および建具の改装方法を提供すること。【解決手段】パネルユニット２０における連結部材２７に突起部２７４が設けられ、この突起部２７４が障子枠１５における見込み面部１１３，１３３の貫通孔１１５，１３５に係止され、これによりパネルユニット２０が障子１０に支持される。従って、パネルユニット２０のユニット上枠２１やユニット縦枠２３に対して孔開け加工したり、取り付け用の部品を用意したりする必要がなく、加工工数や部品点数を削減することができる。そして、障子枠１５にパネルユニット２０を押し込むだけで、突起部２７４が貫通孔１１５，１３５に係止されるので、容易かつ確実にパネルユニット２０を取り付けることができる。【選択図】図２
2010019050.tif 000002
【特許請求の範囲】
【請求項１】
上下左右の枠材を四周枠組みして構成される枠体と、この枠体の内部に支持される面材とを備えた建具であって、
前記枠材は、前記面材を保持する面材保持部と、この面材保持部よりも見込み方向一方側に設けられて見込み方向に延びる見込み面部とを有して形成され、
前記枠体には、前記面材の見込み方向一方側に隣接する機能ユニットが取り付けられており、
前記機能ユニットは、
互いに連結される少なくとも一対の主部材と、これら一対の主部材同士を連結する連結部材とを有して構成されるか、または、単体の主部材と、この主部材の端部に設けられる端部部材とを有して構成されるとともに、前記連結部材または前記端部部材に設けた被支持部が前記枠材の見込み面部に設けた支持部に支持されることで、前記枠体に取り付けられている建具。
【請求項２】
前記支持部は、前記見込み面部に設けられる貫通孔を有して構成され、
前記被支持部は、前記貫通孔に係止される被係止片を有して構成されている請求項１に記載の建具。
【請求項３】
前記被支持部は、前記見込み面部に当接して当該見込み面部を押圧する押圧部を有して構成されている請求項２に記載の建具。
【請求項４】
前記支持部は、前記見込み面部の表面側または裏面側に設けられる磁着部を有して構成され、
前記被支持部は、前記磁着部に磁着される被磁着部を有して構成されている請求項１に記載の建具。
【請求項５】
前記機能ユニットは、前記主部材を四周枠組みして構成されるユニット枠体と、このユニット枠体の内部に支持されるユニット面材またはユニット格子材とを備えるとともに、前記ユニット枠体が前記上下左右の枠材に沿って設けられており、
前記連結部材は、前記ユニット枠体の四隅において互いに交差する前記主部材同士を連結し、当該交差する主部材のうちの一方の主部材に結合する第１結合片と、他方の主部材に結合する第２結合片とを有して構成され、前記第１および第２の結合片のうちの少なくとも一方に前記被支持部が設けられている請求項１から請求項４のいずれかに記載の建具。
【請求項６】
上下左右の枠材を四周枠組みして構成される枠体と、この枠体の内部に支持される面材とを備えた建具に対し、前記面材の見込み方向一方側に隣接して前記枠体に機能ユニットを取り付ける建具の改装方法であって、
前記枠材は、前記面材を保持する面材保持部と、この面材保持部よりも見込み方向一方側に設けられて見込み方向に延びる見込み面部とを有して形成され、
前記機能ユニットは、互いに連結される少なくとも一対の主部材と、これら一対の主部材同士を連結する連結部材とを有して構成されるか、または、単体の主部材と、この主部材の端部に設けられる端部部材とを有して構成され、
前記機能ユニットの前記連結部材または前記端部部材に被支持部を設けておき、
前記枠材の見込み面部に支持部を設けるとともに、この支持部に前記被支持部を支持させることで、前記機能ユニットを前記枠体に取り付ける建具の改装方法。
【発明の詳細な説明】
【技術分野】
【０００１】
本発明は、建具および建具の改装方法に関し、枠体と、その内部に支持される面材とを備えた建具、および建具の改装方法に関する。
【背景技術】
【０００２】
建具枠と、この建具枠に開閉可能に支持された障子とを備える浴室出入り口用の建具が知られている（例えば、特許文献１参照）。
特許文献１に記載された浴室出入り口用建具における障子は、上框、下框および左右の縦框を四周框組みした内部に面材を嵌め込んで構成されており、上下左右の各框材には、面材の四周端縁を保持する溝が見付け方向内方に開口して形成されている。そして、障子の面材は、上下左右の各框材の溝に挿入されるとともに、溝の内部にて框材に接着して固定されている。また、面材を保持する溝は、各框材の浴室側端部に形成され、つまり面材が浴室側に偏った位置に支持されるようになっている。
【０００３】
一方、建具の障子に格子体などの機能ユニットを取り付けて建具の外観意匠を変更したり、建具に新たな機能を追加したりできる機能部品（例えば、格子体など）の取付構造が提案されている（例えば、特許文献２、３参照）。
特許文献２に記載された格子体の取付構造は、障子の縦框の内周面に樋状の取付部材を係止しておき、格子体の縦枠を取付部材に接合するとともに、格子体の縦枠を見付け方向に貫通するねじを取付部材に締め付けることで、格子体が障子に取り付けられるようになっている。
また、特許文献３に記載された格子体の取付構造は、障子の縦框に受けプレートを固定しておき、格子体の縦材（付子）に取り付けた玉ばねを受けプレートに係合させることで、格子体が障子に取り付けられるようになっている。
【０００４】
【特許文献１】特開２００７−３２１３４３号公報
【特許文献２】実用新案登録第２５５８２９０号公報
【特許文献３】実開平６−５６４７５号公報
【発明の開示】
【発明が解決しようとする課題】
【０００５】
しかしながら、従来の取付構造では、障子の框材などの枠体側に取付部材や受けプレートを固定し、格子体などの機能ユニット側にねじや玉ばねなどを取り付ける必要があるため、枠体の枠材および機能ユニットの部材の両方に対して孔開け加工や部品の固定などが必要となり、加工手間が多大になるとともに、部品点数も増加してしまうという問題がある。
【０００６】
本発明の目的は、少ない部品点数および加工工数によって容易かつ確実に機能ユニットを取り付けることができる建具および建具の改装方法を提供することにある。
【課題を解決するための手段】
【０００７】
本発明の建具は、上下左右の枠材を四周枠組みして構成される枠体と、この枠体の内部に支持される面材とを備えた建具であって、前記枠材は、前記面材を保持する面材保持部と、この面材保持部よりも見込み方向一方側に設けられて見込み方向に延びる見込み面部とを有して形成され、前記枠体には、前記面材の見込み方向一方側に隣接する機能ユニットが取り付けられており、前記機能ユニットは、互いに連結される少なくとも一対の主部材と、これら一対の主部材同士を連結する連結部材とを有して構成されるか、または、単体の主部材と、この主部材の端部に設けられる端部部材とを有して構成されるとともに、前記連結部材または前記端部部材に設けた被支持部が前記枠材の見込み面部に設けた支持部に支持されることで、前記枠体に取り付けられていることを特徴とする。
【０００８】
このような本発明によれば、機能ユニットにおける連結部材や端部部材に設けた被支持部を、枠体における枠材の見込み面部に設けた支持部に支持させることで、機能ユニットが枠体に取り付けられる。従って、機能ユニットの主部材に対して孔開け加工したり、取り付け用の部品を用意したりする必要がなく、加工工数や部品点数を削減することができるとともに、枠体の一方側から対向する枠材の見込み面部間に機能ユニットを挿入するようにして容易かつ確実に取り付けることができる。
なお、本発明の建具としては、建物等に新規に取り付ける新設のものであってもよく、また、建物等に取り付けられた状態の既設のものであってもよい。また、枠体としては、建物開口部に固定される建具枠（窓枠やドア枠など）であってもよく、建具枠に支持される障子の障子枠（框）であってもよい。そして、建具が既設の場合の枠体としては、既設の建具枠や既設の障子枠などの既設枠が適用可能であり、この既設枠に対して機能ユニットを取り付ける際に、加工工数や部品点数が削減できるとともに、取付作業を容易に実施できるという効果が得られる。
【０００９】
この際、本発明の建具では、前記支持部は、前記見込み面部に設けられる貫通孔を有して構成され、前記被支持部は、前記貫通孔に係止される被係止片を有して構成されていることが好ましい。
このような構成によれば、枠体における枠材の見込み面部に貫通孔を設けることにより支持部が構成されるので、枠体に対する加工を簡単化することができる。従って、既存の建具における枠体（窓枠やドア枠、障子枠など）に対して支持部を容易に形成することも可能となり、後付けによって機能ユニットを取り付けることができる。さらに、機能ユニットにおける被支持部が被係止片を有しているので、この被係止片を貫通孔に係止させるだけで容易に機能ユニットを取り付けることができ、取付作業を容易かつ迅速に実施することができる。
【００１０】
さらに、本発明の建具では、前記被支持部は、前記見込み面部に当接して当該見込み面部を押圧する押圧部を有して構成されていることが好ましい。
このような構成によれば、機能ユニットの被係止片を枠材の貫通孔に係止させて機能ユニットを取り付けた際に、被支持部の押圧部が見込み面部を押圧することで、枠材に対して被支持部が見付け方向内方に付勢されることとなり、機能ユニットのがたつきを防止することができる。
【００１１】
また、本発明の建具では、前記支持部は、前記見込み面部の表面側または裏面側に設けられる磁着部を有して構成され、前記被支持部は、前記磁着部に磁着される被磁着部を有して構成されていることが好ましい。
このような構成によれば、支持部の磁着部と被支持部の被磁着部とが互いに磁着することで、枠体に対して機能ユニットを容易に取り付けまたは取り外すことができるとともに、磁力によって機能ユニットのがたつきを防止することができる。
【００１２】
以上において、本発明の建具では、前記機能ユニットは、前記主部材を四周枠組みして構成されるユニット枠体と、このユニット枠体の内部に支持されるユニット面材またはユニット格子材とを備えるとともに、前記ユニット枠体が前記上下左右の枠材に沿って設けられており、前記連結部材は、前記ユニット枠体の四隅において互いに交差する前記主部材同士を連結し、当該交差する主部材のうちの一方の主部材に結合する第１結合片と、他方の主部材に結合する第２結合片とを有して構成され、前記第１および第２の結合片のうちの少なくとも一方に前記被支持部が設けられていることが好ましい。
このような構成によれば、機能ユニットにおけるユニット枠体の四隅に設けられる連結部材を枠体に支持させることで、機能ユニットの取付状態を安定化させることができるとともに、支持部や被支持部を目立たなくして建具の意匠性を良好にすることができる。さらに、連結部材における第１および第２の結合片の両方に被支持部を設けるようにすれば、これらの被支持部を支持する支持強度を高めることができ、機能ユニットの取付状態を一層安定させることができる。
【００１３】
一方、本発明の建具の改装方法は、上下左右の枠材を四周枠組みして構成される枠体と、この枠体の内部に支持される面材とを備えた建具に対し、前記面材の見込み方向一方側に隣接して前記枠体に機能ユニットを取り付ける建具の改装方法であって、前記枠材は、前記面材を保持する面材保持部と、この面材保持部よりも見込み方向一方側に設けられて見込み方向に延びる見込み面部とを有して形成され、前記機能ユニットは、互いに連結される少なくとも一対の主部材と、これら一対の主部材同士を連結する連結部材とを有して構成されるか、または、単体の主部材と、この主部材の端部に設けられる端部部材とを有して構成され、前記機能ユニットの前記連結部材または前記端部部材に被支持部を設けておき、前記枠材の見込み面部に支持部を設けるとともに、この支持部に前記被支持部を支持させることで、前記機能ユニットを前記枠体に取り付けることを特徴とする。
【００１４】
このような本発明によれば、前述と同様に、機能ユニットにおける連結部材や端部部材に被支持部を設けておき、枠体における枠材の見込み面部に支持部を設けて、この支持部に被支持部を支持させることで、機能ユニットを枠体に容易に取り付けることができる。そして、機能ユニットの主部材に対する孔開け加工や取り付け用部品が不要にできることから、加工工数や部品点数を削減することができる。従って、後付けによって機能ユニットを取り付ける際に、大掛かりな装置を不要としつつ取付作業を容易かつ迅速に実施することができる。
【発明を実施するための最良の形態】
【００１５】
以下、本発明の実施形態を図面に基づいて説明する。
図１は、本実施形態に係る建具である浴室出入り口用の開き戸１を示す横断面図である。
図１において、開き戸１は、浴室ユニットなどで構成された浴室と、この浴室に隣接する脱衣室との出入り口に用いられる建具である。この開き戸１は、図示しない上枠、下枠３および左右の縦枠４，５を枠組みした建具枠６と、この建具枠６内部に浴室側に開閉可能に支持された１枚の障子１０とを備えて構成されている。建具枠６の上枠、下枠３および縦枠４，５は、それぞれ脱衣室の天井材や床材、額縁材Ｇ等に固定されている。一方、障子１０は、上框１１（図２参照）、下框１２および左右の縦框１３，１４を四周框組みした枠体としての障子枠１５に、樹脂パネル１６を嵌めこんで構成されている。そして、障子１０は、一方（図１の左側）の縦框１３側（吊り元側）が建具枠６に回動自在に支持されており、他方（図１の右側）の縦框１４（戸先框）には、障子１０を開閉操作するためのハンドル１７が取り付けられている。また、障子１０における樹脂パネル１６の脱衣室側には、後述する機能ユニットとしてのパネルユニット２０が取り付けられている。
【００１６】
障子１０の上框１１、下框１２および左右の縦框１３，１４は、図１および図２(Ａ)に示すように、それぞれ中空断面を有したアルミ形材製であり、枠体における上下左右の枠材を構成するものである。また、樹脂パネル１６は、半透明の樹脂製板材からなり、面材を構成するものである。上框１１および縦框１３，１４は、脱衣室側に面する第１側面部１１１，１３１，１４１と、浴室側に面する第２側面部１１２，１３２，１４２と、見付け方向内側に面する見込み面部１１３，１３３，１４３とを有して形成されている。そして、上框１１および縦框１３，１４には、各々の見込み面部１１３，１３３，１４３から見付け方向外側に凹み、見付け方向内方に開口した面材保持部としての凹溝部１１４，１３４，１４４が形成されている。なお、下框１２も見込み面部１２３を有するとともに、図示を省略するが、上框１１や縦框１３，１４と同様に、面材保持部としての凹溝部を有して形成されている。このような凹溝部１１４，１３４，１４４は、各框１１，１２，１３，１４の浴室側寄りに形成されており、これらの凹溝部１１４，１３４，１４４で樹脂パネル１６の四周端縁を保持することで、この樹脂パネル１６は、障子枠１５に対して浴室側に偏った位置に支持され、障子１０の浴室側の側面が全体略フラットに形成されるようになっている。
【００１７】
次に、パネルユニット２０の取付構造に関し、図２および図３も参照して説明する。ここで、図２(Ａ)は、障子１０の一部を拡大して示す見上げの斜視図であり、図２(Ｂ)は、パネルユニット２０の一部を拡大して示す見下げの斜視図である。図３は、パネルユニット２０における連結部材２７を示す斜視図である。
パネルユニット２０は、主部材であるユニット上枠２１、ユニット下枠２２および左右のユニット縦枠２３，２４を四周枠組みしたユニット枠体２５と、このユニット枠体２５の内部に支持されるユニット面材としての意匠パネル２６とを備えて構成されている。そして、ユニット上枠２１の左右端部とユニット縦枠２３，２４の上端部とが連結部材２７で連結され、ユニット下枠２２の左右端部とユニット縦枠２３，２４の下端部とが連結部材２７で連結されることで、ユニット枠体２５が四周枠組みされている。以下、ユニット上枠２１とユニット縦枠２３とを連結する連結部材２７を例に説明するが、ユニット上枠２１とユニット縦枠２４とを連結する連結部材２７、あるいはユニット下枠２２とユニット縦枠２３，２４とを連結する連結部材２７も同様の構成を備えている。
【００１８】
連結部材２７は、図３(Ａ)に示すように、ユニット上枠２１の長手方向端部から圧入されてユニット上枠２１に結合する第１結合片２７１と、ユニット縦枠２３の上端部から圧入されてユニット縦枠２３に結合する第２結合片２７２とを有して、全体Ｌ字形に形成された樹脂製部材である。すなわち、ユニット上枠２１、ユニット下枠２２およびユニット縦枠２３，２４は、それぞれ見付け方向外側に開口した断面略コ字形に形成されたチャンネル材で構成され、これらの中空内部に第１および第２の結合片２７１，２７２が圧入されることで、連結部材２７とユニット上枠２１、ユニット下枠２２およびユニット縦枠２３，２４とが各々結合され、これによりユニット枠体２５が四周枠組みされるようになっている。この連結部材２７において、第１および第２の結合片２７１，２７２の各見付け方向外側面には、浴室から脱衣室側に向かって見付け方向外側に傾斜した傾斜突片２７３が形成されている。そして、傾斜突片２７３の外側には、脱衣室側に向かって見付け方向外側に突出した突起部２７４が形成されている。傾斜突片２７３は、第１および第２の結合片２７１，２７２の各々の見付け方向に弾性変形可能になっており、これにより突起部２７４が第１および第２の結合片２７１，２７２から見付け方向に突没可能に構成されている。
【００１９】
一方、障子１０の上框１１および縦框１３において、それぞれの長手方向端部近傍の見込み面部１１３，１３３には、円形の貫通孔１１５，１３５が形成されている。なお、下框１２および縦框１４においても、見込み面部１２３，１４３には、上框１１および縦框１３と同様の貫通孔（縦框１４において、図１に示す貫通孔１４５）が形成されている。これらの貫通孔１１５，１３５，１４５は、前記連結部材２７の突起部２７４を係止可能に構成されており、すなわち、見込み面部１１３，１２３，１３３，１４３および貫通孔１１５，１３５，１４５によって、パネルユニット２０を支持する支持部が構成されるとともに、突起部２７４によって被係止片が構成されている。また、連結部材２７の傾斜突片２７３は、上框１１、下框１２および縦框１３，１４の見込み面部１１３，１２３，１３３，１４３に当接して見付け方向外側に押圧するようになっており、すなわち傾斜突片２７３によって、押圧部が構成されるとともに、この傾斜突片２７３および突起部２７４によって、パネルユニット２０の被支持部が構成されている。
【００２０】
以上のようなパネルユニット２０は、脱衣室側から障子１０の障子枠１５内に挿入することで、連結部材２７の傾斜突片２７３が各框の見込み面部１１３，１２３，１３３，１４３に当接して弾性変形し、突起部２７４が第１および第２の結合片２７１，２７２側に没入しつつ、樹脂パネル１６に向かって押し込まれる。そして、突起部２７４が貫通孔１１５，１３５，１４５位置まで押し込まれると、傾斜突片２７３の弾性により突起部２７４が見付け方向外側に向かって突出し、貫通孔１１５，１３５，１４５に突起部２７４が係止されることとなる。この際、傾斜突片２７３の先端が各框の見込み面部１１３，１２３，１３３，１４３に当接して押圧することで、パネルユニット２０ががたつきなく障子枠１５に支持されるようになっている。一方、パネルユニット２０を障子１０から取り外す場合には、ドライバ等の先端を見込み面部１１３，１２３，１３３，１４３と、ユニット上枠２１、ユニット下枠２２およびユニット縦枠２３，２４との間に挿入し、傾斜突片２７３を結合片２７１，２７２側に撓ませることで突起部２７４の係止が外れ、パネルユニット２０が取り外せるようになっている。
【００２１】
なお、連結部材２７としては、前述した傾斜突片２７３および突起部２７４を有したものに限らず、図３(Ｂ)に示すように、第１および第２の結合片２７１，２７２に設けられる被磁着部２７５を有して被支持部が構成されていてもよい。この場合には、障子枠１５の見込み面部１１３，１２３，１３３，１４３には、被磁着部２７５と磁着する磁着部３０を有した支持部が設けられる。このような磁着部３０としては、図４(Ａ)に示すように、リング状の磁石３１と、この磁石３１を見込み面部１３３（１１３，１２３，１４３）に固定するビス３２とを有して構成されたものでもよく、また図４(Ｂ)に示すように、見込み面部１３３（１１３，１２３，１４３）の内側に固定された裏板３３を有して構成されたものでもよい。この裏板３３は、鉄などの金属製でもよく、磁石を有していてもよいが、裏板３３が金属製の場合には、連結部材２７の被磁着部２７５が磁石を有して構成され、裏板３３が磁石を有する場合には、被磁着部２７５が鉄などの金属製でもよく、磁石を有して構成されてもよい。これと同様に、前記磁石３１を有して磁着部３０を構成する場合には、被磁着部２７５が鉄などの金属製でもよく、磁石を有して構成されてもよい。
【００２２】
以上のパネルユニット２０を障子１０に取り付ける取付手順について説明する。なお、ここでは、パネルユニット２０を備えずに建物に設置された既存の開き戸１に対して、後付けでパネルユニット２０を取り付ける手順を説明するが、工場などにおいて予め障子１０にパネルユニット２０を取り付ける場合も、略同様の手順が適用可能である。
先ず、図２(Ｂ)に示すように、連結部材２７を用いて、ユニット上枠２１とユニット縦枠２４とを連結するとともに、図示しないユニット下枠２２とユニット縦枠２３，２４とを連結部材２７で連結し、ユニット枠体２５を四周枠組みするとともに、その内部に意匠パネル２６を嵌め込んで、パネルユニット２０を組み立てておく。一方、図２(Ａ)に示すように、障子１０の障子枠１５において、ドリルなどの工具を用いて見込み面部１１３，１３３（１２３，１４３）に貫通孔１１５，１３５（１４５）を形成する。
そして、組み立てたパネルユニット２０を脱衣室側から障子１０の障子枠１５内に挿入し、前述のように連結部材２７の突起部２７４を貫通孔１１５，１３５（１４５）に係止させることで、パネルユニット２０の障子１０への取付作業が完了する。
なお、連結部材２７として図３(Ｂ)の被磁着部２７５を有したものを用い、磁着部３０として図４(Ａ)の磁石３１を有したものを用いる場合には、前記貫通孔１１５，１３５，１４５を形成する作業に代えて、見込み面部１１３，１２３，１３３，１４３にビス３２で磁石３１を固定する固定作業を実施すればよい。
【００２３】
このような本実施形態によれば、以下のような効果がある。
（１）すなわち、パネルユニット２０における連結部材２７に突起部２７４が設けられ、この突起部２７４が障子枠１５における見込み面部１１３，１２３，１３３，１４３の貫通孔１１５，１３５，１４５に係止され、これによりパネルユニット２０が障子１０に支持される。従って、パネルユニット２０のユニット上枠２１、ユニット下枠２２およびユニット縦枠２３，２４に対して孔開け加工したり、取り付け用の部品を用意したりする必要がなく、加工工数や部品点数を削減することができる。また、貫通孔１１５，１３５，１４５の孔開け加工も、見込み面部１１３，１２３，１３３，１４３の見付け方向内方からドリル等で容易に実施することができ、加工手間を軽減することができる。
【００２４】
（２）そして、脱衣室側から障子枠１５にパネルユニット２０を押し込むだけで、突起部２７４が貫通孔１１５，１３５，１４５に係止されるので、容易かつ確実にパネルユニット２０を取り付けることができる。また、障子枠１５に設けた磁着部３０と、連結部材２７に設けた被磁着部２７５とを互いに磁着させる場合でも、特別な取付手順が不要でパネルユニット２０を容易かつ確実に取り付けることができる。
【００２５】
（３）さらに、パネルユニット２０を取り付けた状態において、連結部材２７の傾斜突片２７３が見込み面部１１３，１２３，１３３，１４３を押圧することで、障子枠１５に対して連結部材２７およびパネルユニット２０が見付け方向内方に付勢されることとなり、パネルユニット２０のがたつきを防止することができる。また、障子枠１５に設けた磁着部３０と、連結部材２７に設けた被磁着部２７５とが互いに磁着してパネルユニット２０が取り付けられる場合でも、磁力によってパネルユニット２０のがたつきを防止することができる。
【００２６】
なお、本発明は前記実施形態の構成に限定されるものではない。
例えば、前記実施形態では、浴室出入り口用の建具としての開き戸１を例示して説明したが、本発明の建具は、浴室出入り口用の建具に限らず、建物の窓や出入り口に用いられるものであってもよく、また開き戸１に限らず、片引き形式や引き違い形式など、適宜な開閉形式の建具に適用可能である。さらに、前記実施形態では、障子１０の障子枠１５を枠体とし、この障子枠１５の内部にパネルユニット２０が取り付けられる形態を説明したが、本発明の枠体としては、障子枠１５に限らず、建物に固定される窓枠やドア枠など、適宜な建具枠であってもよい。
【００２７】
また、前記実施形態では、機能ユニットとして、ユニット枠体２５と意匠パネル２６とを有したパネルユニット２０を例示したが、機能ユニットは、パネルユニット２０に限らず、図５に示すような格子ユニット４０であってもよい。この格子ユニット４０は、ユニット上枠４１、ユニット下枠（不図示）および左右のユニット縦枠４３を四周枠組みしたユニット枠体４５と、このユニット枠体４５の内部に支持されるユニット格子材４６とを備えて構成されている。そして、ユニット枠体４５は、前記連結部材２７と同様の連結部材４７で四周枠組みされており、この連結部材４７に設けられる被支持部としての傾斜突片４７３および突起部４７４によって枠体の支持部（貫通孔）に支持されるように構成されている。
【００２８】
さらに、機能ユニットとしては、図６(Ａ)に示すように、前述のユニット枠体２５，４５内部に中桟５１を有して構成されていてもよく、この場合には、主部材としてのユニット縦枠２３と、主部材としての中桟５１とが連結部材５７で連結されている。この連結部材５７は、ユニット縦枠２３，４３に結合する第１結合片５７１と、中桟５１に結合する第２結合片５７２とを有して、全体Ｔ字形に形成された樹脂製部材である。そして、連結部材５７の第１結合片５７１の見付け方向外側面に、前述と同様の傾斜突片５７３と突起部５７４とが形成され、この突起部５７４がユニット枠体２５，４５の支持部（貫通孔）に支持されるように構成されている。
また、機能ユニットとしては、図６(Ｂ)に示すように、タオル掛け等の単体の主部材としての棒状部材６１と、この棒状部材６１の端部に設けられる端部部材６７とを有して構成されていてもよい。この端部部材６７は、棒状部材６１に圧入して結合する端部部材本体６７１と、この端部部材本体６７１の外側面に形成される傾斜突片６７３および突起部６７４とを有して構成されている。そして、突起部６７４がユニット枠体２５，４５の支持部（貫通孔）に支持されるように構成されている。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含
まれるものである。
【図面の簡単な説明】
【００３０】
【図１】本発明の実施形態に係る建具を示す横断面図である。
【図２】(Ａ)，(Ｂ)は、それぞれ前記建具における枠体および機能ユニットの一部を示す斜視図である。
【図３】前記機能ユニットにおける連結部材を示す斜視図である。
【図４】(Ａ)，(Ｂ)は、前記枠体における支持部の変形例を示す斜視図である。
【図５】本発明の変形例を示す斜視図である。
【図６】本発明の他の変形例を示す斜視図である。
【符号の説明】
【００３１】
１…開き戸（建具）、１１…上框、１２…下框、１３，１４…縦框、１５…障子枠（枠体）、１６…樹脂パネル（面材）、２０…パネルユニット（機能ユニット）、２１，４１…ユニット上枠（主部材）、２２…ユニット下枠（主部材）、２３，２４，４３…ユニット縦枠（主部材）、２５，４５…ユニット枠体、２６…意匠パネル（ユニット面材）、２７，４７，５７…連結部材、３０…磁着部、４０…格子ユニット（機能ユニット）、５１…中桟（主部材）、６１…棒状部材（主部材）、６７…端部部材、１１５，１３５，１４５…貫通孔、２７３，４７３，５７３，６７３…傾斜突片（押圧部）、２７４，４７４，５７４，６７４…突起部（被係止片）、２７５…被磁着部。
【図１】
2010019050.tif 000003
【図２】
2010019050.tif 000004
【図３】
2010019050.tif 000005
【図４】
2010019050.tif 000006
【図５】
2010019050.tif 000007
【図６】
2010019050.tif 000008